(57)【要約】      （修正有）【課題】狭いスペースでも、有効に傘を保管可能な傘保管の収納構造物を提供する。【解決手段】可撓性を有するシート部材または網部材である可撓性シート１０は、係止部１７にそれぞれ保持部材１９としてリングが設けられ、係る保持部材１９に傘１０４が吊設される。前記可撓性シート１０は、シート設置具２９を備え、壁や吊設可能な支持材に設置可能。【選択図】図１
2019198516.tif 000002
【特許請求の範囲】
【請求項１】
傘を吊り下げて保管する傘吊設ユニット（１）であり、可撓性を有するシート部材または網部材（１１）である可撓性シート（１０）は１以上の保持部材（１９）を設け、前記可撓性シート（１０）は、シート設置具（２９）を備え、壁や吊設可能な支持材に設置可能で、傘を保持可能に、前記保持部材（１９）を備えたことを特徴とする傘吊設ユニット（１）。
【請求項２】
前記可撓性シート（１０）が網状である網部材（１１）であることを特徴とする請求項１に記載の傘吊設ユニット（１）。
【請求項３】
前記可撓性シート（１０）がシート部材と網部材（１１）の２重構造であることを特徴とする請求項１に記載の傘吊設ユニット（１）。
【請求項４】
前記シート部材と網部材（１１）の２重構造が、互いに着脱可能に係止されていることを特徴とする請求項１に記載の傘吊設ユニット（１）。
【請求項５】
前記傘吊設ユニット（１）が、巻き折り係止構造（３８）を設けていることを特徴とする請求項１から請求項４のいずれかに記載の傘吊設ユニット（１）。
【請求項６】
前記シート設置具（２９）が、マグネットまたは、自己吸着シート、または吸盤または、粘着部であることを特徴とする請求項１から請求項５のいずれかに記載の傘吊設ユニット（１）。
【請求項７】
前記可撓性シート（１０）部材が、マグネットシートまたは、自己吸着シート、または粘着シートであることによって、前記シート設置具（２９）を兼ねていることを特徴とする請求項１から請求項５のいずれかに記載の傘吊設ユニット（１）。
【請求項８】
前記傘吊設ユニット（１）が、水受けポケット（１０３）を設けていることを特徴とする請求項１から請求項５のいずれかに記載の傘吊設ユニット（１）。
【請求項９】
前記水受けポケット（１０３）が、前記傘吊設ユニット（１）の下側及び左右側に設けていることを特徴とする１から請求項8のいずれかに記載の傘吊設ユニット（１）。
【請求項１０】
前記水受けポケット（１０３）が、前記傘吊設ユニット（１）の上下側及び左右側に設けていることを特徴とする１から請求項8のいずれかに記載の傘吊設ユニット（１）。
【請求項１１】
前記傘吊設ユニット（１）の傘（１０４）が、柄を下にして設けることが可能であることを特徴とする請求項１から請求項１０のいずれかに記載の傘吊設ユニット（１）。
【請求項１２】
前記傘吊設ユニット（１）に、１つまたはそれ以上のカバー材（１１１）が設けられていることを特徴とする請求項１から請求項１１のいずれかに記載の傘吊設ユニット（１）。
【請求項１３】
前記カバー材（１１１）が、係る傘（１０４）が畳まれて袋状になった開口部である傘開口部（１１２）を覆うように設けられていることを特徴とする請求項１２に記載の傘吊設ユニット（１）。
【請求項１４】
前記傘吊設ユニット（１）が、吊設した傘ごとまとめて巻き取り可能で、巻いた状態を保持して係止する巻き取り係止部材（１０５）を設けたことを特徴とする請求項１から請求項１３のいずれかに記載の傘吊設ユニット（１）。
【請求項１５】
前記保持部材（１９）が、吊設された傘が落下防止可能な高摩擦素材を備えていることを特徴とする請求項１から請求項１４のいずれかに記載の傘吊設ユニット（１）。
【請求項１６】
前記保持部材（１９）がゴム、またはシリコンラバー、または自己吸着素材を備えていることを特徴とする請求項１から請求項１５のいずれかに記載の傘吊設ユニット（１）。
【請求項１７】
前記保持部材（１９）が、締め付け可能で、柄を下に向けて前記傘を保持しても、ずり落ちない構成、または素材であることを特徴とする請求項１から請求項１６のいずれかに記載の傘吊設ユニット（１）。
【請求項１８】
前記保持部材（１９）が、重りを備えており、吊設された傘の可撓性シート（１０）部材への密着力を増大可能であることを特徴とする請求項１から請求項１7のいずれかに記載の傘吊設ユニット（１）。
【請求項１９】
前記保持部材（１９）の位置が、段違いに設けられたことを特徴とする請求項１から請求項１８のいずれかに記載の傘吊設ユニット（１）。
【請求項２０】
前記可撓性シート（１０）が、吊設された傘が落下防止可能な高摩擦素材であることを特徴とする請求項１から請求項１９のいずれかに記載の傘吊設ユニット（１）。
【請求項２１】
前記可撓性シート（１０）がゴム、またはシリコンラバー、またはマグネットシート、または自己吸着素材であることを特徴とする請求項１から請求項２０のいずれかに記載の傘吊設ユニット（１）。
【請求項２２】
前記保持部材（１９）は、弾性力を備えた挟持構造による傘の保持領域（１１８）を備え、
前記保持領域（１１８）は、対面する２方向に貫通した構造であり、該貫通した方向と垂直な方向に前記保持領域（１１８）は開放部（１０９）を備えたことを特徴とする請求項１から請求項２１のいずれかに記載の傘吊設ユニット（１）。
【請求項２３】
前記保持部材（１９）の前記貫通した方向と垂直な方向に前記保持領域（１１８）が備えた前記開放部（１０９）が、前記保持領域（１１８）から外に向かって開放の幅が広くなっていく構造であることを特徴とする請求項１から請求項２２のいずれかに記載の傘吊設ユニット（１）。
【請求項２４】
前記保持部材（１９）は、前記保持領域（１１８）側の面に設けられた落下防止部（１１９）を備え、前記落下防止部（１１９）が、可撓性のひだ状であることを特徴とする請求項１から請求項２３のいずれかに記載の傘吊設ユニット（１）。
【発明の詳細な説明】
【技術分野】
【０００１】
本発明は、傘を吊り下げて保持する傘掛けに関する。
【背景技術】
【０００２】
従来から、雨天時の傘の収納については、傘立てに立てて収納するのが一般的である。
【０００３】
しかしながら、場所を取らず、自由度の高い傘の保持、収納が可能な傘の収納構造物が求められており、また、雨の屋外でも使える傘の収納構造物が求められている。
【０００４】
また、例えば店頭などで、傘立てを置くスペースが無い場所などでも、雨の日に、傘の中に水が入らず外に傘を置いておける傘の収納構造物が求められている。
【０００５】
このような現状に鑑み、本発明者以外にも従来から種々の技術が提案されている。
例えば、特許文献１には、発明の名称を「携帯用傘袋兼傘立て」とする技術が開示され、公知技術となっている（特許文献１参照）。
具体的には、水分を浸透しない繊維で構成した傘袋とすることで濡れた傘を袋に収納し、さらに袋の上端開口部に設けた口閉じ糸を適宜長さとしたうえで伸縮可能とし、糸の先端には静止した物体に接続するためにフック、クリップ等の係止具を設けてある。この係止具を静止物体に接続することで傘袋を支えたり、吊るすことで転倒を防ぐ、というものであるが、上記課題を解決するものではない。
【０００６】
また、特許文献２には、発明の名称を「移動式係止構造」とする技術が本願発明者によって提案されており、本願申請時においては未開示である（特許文献２参照）。係る提案内容に、傘用吊設シートの傘が、柄を下にして設けることが可能である、とする内容がある。
しかし、保持手段として、シート部材の対向する一組の両辺にファスナーを用い、該ファスナーに設けられるスライダーによる開口を前記スリットとし、前記スライダーを前記装飾物保持部材とする内容がある。
【０００７】
しかしながら、傘の保持構造が、ファスナーを使用した限定的な構成であり、係る発明の提案者である本願発明者は、更により広く、深い応用、活用範囲、また、よりシンプルあるいは多彩な部材、構造、及び、より発展的な部材、構造とその製造方法を開発するといった課題も追及すべきといえる。
【先行技術文献】
【特許文献】
【０００８】
【特許文献１】特開２００９−２６１６９６号
【特許文献２】特願２０１７−２２６３７５号
【発明の概要】
【発明が解決しようとする課題】
【０００９】
一般的な傘立てに代わり、より、場所を取らない傘の保持、収納構造物を提供する。
【課題を解決するための手段】
【００１０】
本発明は、傘を吊設する傘吊設ユニットに関し、可撓性を有するシート部材または網部材である可撓性シートは１以上の保持部材を設け、前記可撓性シートは、シート設置具を備え、壁や吊設可能な支持材に設置可能で、傘を保持可能に、前記保持部材を備えた構成を採用する。
【００１１】
また、本発明は、前記可撓性シートが網状である網部材である構成を採用することもできる。
【００１２】
また、本発明は、前記可撓性シートがシート部材と網部材の２重構造である構成を採用することもでき、また、前記シート部材と網部材の２重構造が、互いに着脱可能に係止されている構成を採用することもできる。
【００１３】
また、本発明は前記傘吊設ユニットが、巻き折り係止構造を設けている構成を採用することもできる。
【００１４】
また、本発明は 前記シート設置具が、マグネットまたは、自己吸着シート、または吸盤または、粘着部である構成を採用することもできる。
【００１５】
また、本発明は 前記可撓性シート部材が、マグネットシートまたは、自己吸着シート、または粘着シートであることによって、前記シート設置具を兼ねている構成を採用することもできる。
【００１６】
また、本発明は前記傘吊設ユニットが、水受けポケットを設けている構成を採用することもでき、また、前記水受けポケットが、前記傘吊設ユニットの下側及び左右側に設けている構成を採用することもでき、また、前記水受けポケットが、前記傘吊設ユニットの上下側及び左右側に設けている構成を採用することもできる。
【００１７】
また、本発明は前記傘吊設ユニットの傘が、柄を下にして設けることが可能である構成を採用することもできる。
【００１８】
また、本発明は前記傘吊設ユニットに、１つまたはそれ以上のカバー材が設けられている構成を採用することもできる。
【００１９】
また、本発明は前記カバー材が、係る傘が畳まれて袋状になった開口部である傘開口部を覆うように設けられている構成を採用することもできる。
【００２０】
また、本発明は前記傘吊設ユニットが、吊設した傘ごとまとめて巻き取り可能で、巻いた状態を保持して係止する巻き取り係止部材を設けた構成を採用することもできる。
【００２１】
また、本発明は前記保持部材が、吊設された傘が落下防止可能な高摩擦素材を備えた構成を採用することもできる。
【００２２】
また、本発明は前記保持部材が、吊設された傘が落下防止可能な高摩擦素材を備えている構成を採用することもできる。
【００２３】
また、本発明は前記保持部材がゴム、またはシリコンラバー、または自己吸着素材を備えている構成を採用することもできる。
【００２４】
また、本発明は前記保持部材が、重りを備えており、吊設された傘の可撓性シート部材への密着力を増大可能である構成を採用することもできる。
【００２５】
また、本発明は前記保持部材の位置が、段違いに設けられた構成を採用することもできる。
【００２６】
また、本発明は前記可撓性シートが、吊設された傘が落下防止可能な高摩擦素材である構成を採用することもできる。
【００２７】
また、本発明は可撓性シート（１０）がゴム、またはシリコンラバー、またはマグネットシート、または自己吸着素材である構成を採用することもできる。
【００２８】
また、本発明は前記保持部材は、弾性力を備えた挟持構造による傘の保持領域を備え、前記保持領域は、対面する２方向に貫通した構造であり、該貫通した方向と垂直な方向に前記保持領域は開放部を備えた構成を採用することもできる。
【００２９】
また、本発明は前記保持部材の前記貫通した方向と垂直な方向に前記保持領域が備えた前記開放部が、前記保持領域から外に向かって開放の幅が広くなっていく構造である構成を採用することもできる。
【００３０】
また、本発明は前記保持部材は、前記保持領域側の面に設けられた落下防止部を備え、前記落下防止部が、可撓性のひだ状である構成を採用することもできる。
【発明の効果】
【００３１】
本発明に係る傘吊設ユニットによれば、屋外の雨のかかる場所においても、畳んだ傘の中に雨が降り込まず、傘を収納、保管できるという優れた効果を発揮する。それによって、例えば、店頭の玄関等に、雨の降り込まないスペースを十分に確保できず、従来の傘立てを置くスペースがない場合においても、傘を収納保管できるという優れた効果を発揮する。
【００３２】
本発明に係る傘吊設ユニットによれば、省スペースの傘の保管ユニットを提供し、例えば、店頭の玄関等に、従来の傘立てを置くスペースがない場合においても、傘を収納保管できるという優れた効果を発揮する。
【００３３】
本発明に係る傘吊設ユニットによれば、吊設された傘ごと係る吊設ユニットごと巻いて、コンパクトに保管可能であるので、移動や、晴れの日の保管にも適しているという優れた効果を発揮する。また、巻いた際にも、水の漏れを抑制可能であるので、例えば車での移動においても他の荷物等を濡らさないという優れた効果を発揮する。
【００３４】
本発明に係る傘吊設ユニットによれば、保管した状態で傘を乾かすことができるという優れた効果を発揮する。
【図面の簡単な説明】
【００３５】
【図１】本発明に係る基本構成を説明する構成説明図
【図２】本発明に係る図１の構成の断面図
【図３】本発明に係る図１の構成の断面図
【図４】本発明に係る傘の柄を下にして保持した構成の例説明図
【図５】本発明に係るシート設置具の構成の例説明図
【図６】本発明に係る傘の柄を下にして保持した構成の例の断面図
【図７】本発明に係る可撓性シート部材に、網部材を用いた構成の例説明図
【図８】本発明に係る可撓性シート部材に、網部材を用いた構成の例説明図
【図９】本発明に係る巻き取り係止構造の構成の例説明図
【図１０】本発明に係る巻き取り係止構造の構成の例説明図
【図１１】本発明に係る保持部材の一例の説明図
【発明を実施するための形態】
【００３６】
本発明に係る傘吊設ユニット１は、可撓性を有するシート部材である可撓性シート１０からなる、傘吊設ユニット１である。
以下、図面に基づいて本発明を説明する。
【００３７】
尚、以下の図において説明される構成は、係る構成の説明の為の一例に過ぎず、以下の図に示される構成に限定されるものでは無く、本発明の技術的思想の範囲内において、すなわち、同一の作用効果を発揮できる範囲内で限定しない。
【００３８】
図１は、本発明に係る可撓性シート１０が、傘吊設ユニット１である構成の説明図であり、上部に、係る傘吊設ユニット１を設置する為の係止構造部であるシート設置具２９を設け、９組の係止部１７にそれぞれ保持部材１９としてリングが設けられ、係る保持部材１９の内５組の保持部材１９に傘１０４が吊設されている状態を示している。
【００３９】
係る傘吊設ユニット１には、上下部及び左右部に水受けポケット１０３が設けられており、下側の水受けポケット１０３が傘１０４から垂れる水を受ける構成となっている。
また、左右及び上下部の水受けポケット１０３は、係る傘吊設ユニット１を傘１０４ごと巻いた際に、中から水がこぼれ難い構成となっており、有用である。
【００４０】
本図においては、水受けポケット１０３は、上下部及び左右部に設けられているが、係る水受けポケット１０３は、無くても良いし、下だけでも良いし、上下部だけでも、下部と左右部だけでも良い。
【００４１】
尚、係る水受けポケット１０３は、排水穴を設けて、所定の位置に排水できるようにホース等を設ける構成としても良い。
【００４２】
また、更に、巻き取り係止部材１０５を設けており、傘ごと、係る傘吊設ユニット１を巻き取って保管できる構成となっている。例えば、晴れの日は傘１０４ごと巻き取って保管しておいても良いし、あるいは、車などで移動する際にも、濡れた傘１０４の数本をまとめて巻き取って車に積むようなことも可能で、濡れた傘１０４をまとめることが可能となり、例えば、観光バス等で移動する際にも、客に傘１０４をバスに乗り込む際に自分でかけてもらい、まとめて巻いて荷台に乗せておくようなことも可能で、その際に寝かして置いても水のこぼれを抑制できる。
【００４３】
尚、そのように、濡れた複数の傘１０４を巻き取って横倒しにしておいておく際に、水受けポケット１０３が、下側だけではなく、上側にも設けられていることで、車内等での水のこぼれを抑制することが可能となり、有用である。更に、左右にも係る水受けポケット１０３を設けて左右からの水漏れを抑制する構成としても良い。
【００４４】
尚、係る巻き取り係止部材１０５は、紐状体でも良いし、面ファスナー７０、ゴム、磁石等、その他、本発明の技術的思想の範囲内、即ち、同一の作用効果を発揮できる範囲内で限定しない。
また、巻き取って保管する構成については、畳むようにして保管する構成としても良い。
【００４５】
尚、係る傘吊設ユニット１によって、屋内でも、スペースの幅の無い入口等の場所に傘１０４を保管でき、また、防水性のシートで構成することによって、壁を濡らすことなく傘１０４を保管できる構成であり、有用である。
【００４６】
また、係止部１７によって保持部材１９が移動可能であることによって、乾いた置き傘１０４を一方に寄せてまとめておいたり、濡れた傘１０４の間隔を調整して、乾燥を促進したりすることが可能である。
【００４７】
また、本図の例においては、片面のみに傘１０４を保持できる構成であるが、両面に保持できる構成とすることによって、例えば、通路の真ん中に係る傘吊設ユニット１を上から吊って設ければ、保持スペースが倍になり、有用である。
【００４８】
また、係る水受けポケット１０３は、係る可撓性シート１０の端部を、着脱可能に折り曲げて設けられるようにしても良く、係る着脱可能な構成としては、ホックでも、面ファスナー７０、ファスナー７０、ボタンでも良く、本発明の技術的思想の範囲内で限定しない。
【００４９】
また、係る水受けポケット１０３は、上下のみに設けられている場合でも、濡れた複数の傘１０４を巻き取って横倒しにしておいておく際に、巻き取った外側の末端部を上側にして置いておけば、水漏れを防止可能であるし、このように、巻き取った外側の端部側に係る水受けポケット１０３が設けられていれば、内側に水受けポケット１０３は、必ずしも必要ではないので、左右については、左右どちらかに設けられていれば良い。
【００５０】
また、水受けポケット１０３のサイズも、図では、傘１０４にかからない程度のサイズであるが、傘１０４の一部を覆う程度のサイズにしても良く、傘１０４の一部にかかる構成とすることによって、係る傘吊設ユニット１を傘１０４と一緒に巻き取った際に、水受けポケット１０３が閉じ難くなる構成となり、有用である。
【００５１】
また、係る係止部１７の高さは、同じ高さに一列であるが、段違いに係る係止部１７を設けることによって、より多くの傘１０４を収納可能な構成となる。
【００５２】
尚、保持部材１９は、傘１０４の位置を保持する構成の部材であり、リングや、紐、面ファスナー７０、鎖など、結束バンド、ベルト、その他、本発明の技術的思想の範囲内、すなわち、同一の作用効果を発揮できる範囲内で限定しない。
【００５３】
係止部１７は、係る保持部材１９を可撓性シート１０に係止する構成の部分であり、本構成においては、ファスナー７０を係止部１７として、係る可撓性シート１０と保持部材１９を係止する構成となっている。
【００５４】
係る係止部１７は、糸による縫製や結束、また、接着や融着でも、必要な強度を満たして係止されていればよく、その係止部１７の構成は、本発明の技術的思想の範囲内、即ち、同一の作用効果を発揮できる範囲内で限定しない。
【００５５】
図２は、図１の横断面図であり、図３は図１の縦断面図であり、それぞれ、左右部あるいは上下部の略両端部に、中空状の水受けポケット１０３が設けられている構成であることを示している。
【００５６】
下側の水受けポケット１０３は、濡れた傘１０４を吊設した際の水受け、左右又は上側の水受けポケット１０３は、係る傘吊設シートを巻いて横に置く際の水漏れを抑制することが可能であり、有用である。
【００５７】
図４は、本発明に係る前記傘１０４吊設シートの傘１０４を、柄を下にして、締め付け可能な保持部材１９によって、ずり落ちずに保持する構成の例であり、係る保持部材１９が、面ファスナー７０の構成となっており、１０組の保持部材１９に対して、５本の傘１０４が柄を下にして保持可能な構成の状態を示している。
また、係る保持部材１９は、面ファスナー７０の代わりに、結束バンド、ベルト、紐でも良く、本発明の技術的思想の範囲内で限定しない。
但し、係る保持部材１９は、締付可能な構成であることが望ましい。
【００５８】
係る、傘１０４を、柄を下にして保持することによって、保持した傘１０４の中に雨が溜まらず、係る傘吊設ユニット１を、屋外に吊設することが可能となり、一般の傘１０４立てが、柄を上にして傘１０４立てにて保管する為、雨の屋外に置いておくと、傘１０４の中に雨が溜まっていくことになる。しかし、構成によれば、傘１０４の中に雨が溜まることが無い為、屋外に吊設することが可能となり、仮設のイベント会場や、屋根の下に傘１０４立てを置くスペースを取れない場合など、屋外に傘１０４を置ける為、有用である。
また、傘１０４の先端部に吊設できるフック等が設けられていても、有用である。
また保持部材１９が伸縮可能あるいは高摩擦な素材で保持しても良いし、ワンタッチで傘１０４の保持部を締め付け可能な構成としても良い。
【００５９】
図５は、本発明に係るカバー材１１１の構成の説明図である。
図５（ａ）は、傘１０４が保持部材１９にて柄を上にして吊り下げて保持されており、係る傘１０４が畳まれて袋状になった開口部を係るカバー材１１１が覆うようにして設けられている構成の例である。
係る構成によって、図４の構成と同様に、雨が傘１０４の中に降り込まず、屋外に係る傘吊設ユニット１を設けることが可能となり、有用である。
【００６０】
尚、保持部材１９を覆うカバー材１１１を設ける場合は、係る保持部材１９に設けた位置より上の方に、係るカバー材１１１が自立して、カバーしてもよく、その構成としては、例えば、係る自立させる部分を折り曲げて２重にしたり、自立するような硬度を備えた素材を用いた構成としても良い。
【００６１】
図６は、本発明に係る保持部材１９による締め付けまたは傘１０４位置の保持によって、あるいは、合わせて可撓性シート１０部材と傘１０４の吸着力または密着力または摩擦力または粘着力によって傘１０４が落下せず、保持する、構成の説明図である。
係る傘吊設シートには、保持部材１９に柄の部分を下にして傘１０４が吊設されており、係る傘１０４は、係る保持部材１９によってその位置の保持と落下を抑制されて吊設されている。また、係る傘１０４は、可撓性シート１０部材と密着することによって、係る傘１０４と可撓性シート１０部材との接触部分における、吸着力または密着力または摩擦力によって、係る傘１０４を保持する構成である。
【００６２】
また、係る保持部材１９は、吊設された傘１０４が落下防止可能な高摩擦素材を備えることが望ましく、係る高摩擦素材は、ゴム、またはシリコンラバー、または自己吸着素材の他、本発明の技術的思想の範囲内、即ち、同一の作用効果を発揮できる範囲内で限定しない。
【００６３】
また、係る可撓性シート１０部材についても、吊設された傘１０４が落下防止可能な高摩擦素材を備えることが望ましく、係る高摩擦素材は、ゴム、またはシリコンラバー、または自己吸着素材の他、本発明の技術的思想の範囲内、即ち、同一の作用効果を発揮できる範囲内で限定しない。
【００６４】
このように、先端側を上側にして傘１０４を収納することによって、例えば店頭等の屋外の雨のかかる場所に傘１０４を保管しても、畳んだ傘１０４の袋状の部分に雨が溜まらず、傘１０４を保管でき、また、店の入り口が狭い店舗等の玄関であっても、従来の傘立てよりも、場所を取らずに、また、雨のかかる場所でも傘１０４を保管することが可能となり、有用である。
また、係る保持部１９に先端を挿入して傘１０４を垂らすだけで傘１０４を吊設可能であるので、雨の中や荷物で片手が塞がっていても、片手で容易に傘１０４を保管できる為、有用である。
【００６５】
また、係る保持部材１９に、重りを設けることによって、係る保持部材１９が下に下がる力を増加させ、係る傘１０４を係る可撓性シート１０部材に密着させる力を増加させて、係る傘１０４の落下を防ぐ効果がアップする構成としても良い。
【００６６】
尚、係る保持部材１９は、係る可撓性シート１０部材との係止部１７において、回動可能に設けられていることによって、係る重りや傘１０４の重量によって係る可撓性シート１０部材への密着性がアップする効果が期待できる構成となり、望ましい。
【００６７】
尚、係る可撓性シート１０部材は壁等を背面にして設けるか、しっかりと張って設けて、係る傘１０４に押されて、係る可撓性シート１０部材が逃げない構成として、傘１０４との密着性をアップすることが望ましく、係る可撓性シート１０部材は、傘１０４に押されて逃げないように、板材を用いる構成としても良い。
【００６８】
また、係る傘吊設ユニット１自体を壁等へ設置可能に、係る可撓性シート１０部材自体が マグネットシートまたは、自己吸着シート、または粘着シートであって、係る構成によって壁等へ設置可能な構成としても良い。
【００６９】
図７は、本発明に係る可撓性シート１０部材が網部材１１である構成または、シート部材に網部材１１が設けられた構成の例である。
図７（ａ）は、可撓性シート１０部材に可撓性網部材１１が設けられた構成であり、係る網部材１１に傘１０４が柄を下にして吊設された構成を示している部分断面図であり、図７（ｂ）は、その部分正面図である。
【００７０】
係る傘１０４は、柄を下にして、先端側を上側にして、吊設されており、係る先端側を可撓性網部材１１の穴部に上方に向けて挿入されて、畳まれて柄の付近に位置する傘骨７７の末端部を係る網部に引っ掛けて吊設された構成を示している。
尚、係る網部を、伸縮性があり、あるいは、高摩擦な素材での構成にすることによって、傘骨７７の末端部で網部を引っ掛けることなく吊設可能な構成としても良い。
また、雨の降り込まない場所に、係る傘吊設ユニット１が設置される場合は、柄の方で、係る傘１０４を吊設することも可能である。
【００７１】
本構成の例のように、網部材１１の背面に、シート部材を２重構造に設けた本構成においては、傘１０４を係る傘吊設ユニット１に吊設する際に、可撓性シート１０がある為に、壁を濡らさず、汚さず、傘１０４によって傷つけず、また、傘１０４を壁の凹凸によって傷つけず、汚さず、また、吊設された傘１０４をまとめて巻いて保管することも可能であり、有用である。
【００７２】
尚、係る網部材１１と可撓性シート１０部材は、着脱可能な構成としてもよく、着脱可能な構成とすることによって、雨が上がって晴れた時に、吊設された複数の傘１０４を網部材１１ごと、風通しの良い場所に吊って、乾かすことも可能であり、網状の為、風通しも良く、傘１０４も乾き易く、有用である。
【００７３】
尚、本構成の例においては、網部材１１と可撓性シート１０部材が２重の構造であるが、網部材１１単体の構成としても良い。
【００７４】
図８は、図７の構成の例の全体図である。
【００７５】
図９は、巻き折り係止構造３８の構成の例の説明図であり、傘吊設ユニット１の背面の図を示している。
係る傘吊設ユニット１には、背面側の上側と下側に２本ずつそれぞれオスとメスの面ファスナー７０をペアとして、横方向に巻き折り係止構造３８として、面ファスナー７０が設けられている構成の例である。
【００７６】
係る巻き折り係止構造３８は、図１０(ａ)に示されるように、係る傘吊設ユニット１に吊設された傘１０４と一緒に巻いた際に、図１０（ｂ）に示されるように、上側と下側の巻き折り係止構造３８である面ファスナー７０にて、折り曲げて係止可能な構成となっている。
【００７７】
係る上下を折り曲げ可能である構成によって、巻いた中の１以上の濡れた傘１０４からの水が、上下から漏れ出るのを抑制され、係る巻いた傘吊設ユニット１を車中等で横にして置いても、周囲を濡らすことを抑制することが可能となる。
ついては、例えば、観光バス等で、乗客の傘１０４をまとめて巻いて荷室に積み込むことが可能となり有益である。
【００７８】
図１０は、保持部材１９の構成の例であり、弾性のある素材でできた素材に傘１０４を挟み込み、係る素材の弾性力や挟持力あるいは、傘１０４と保持部材１９との摩擦力で、傘１０４を保持する構成の例であり、図１０(ａ)は係る構成の上面図であり、図１０（ｂ）は、係る構成の断面図である。
【００７９】
図１０(ａ)において、係る保持部材１９は、可撓性シート１０部材に係止されており、弾性力を有した挟持構造の傘１０４の保持領域１１８を備えた保持部材１９は、上下に貫通した形状の前方に開放部１０９を備えた保持領域１１８を備えた構成である。係る保持領域１１８は、係る前方の開放部１０９から嵌め込まれた傘１０４を、係る保持領域１１８で保持し、また、図１０（ｂ）に示されるように、係る保持部材１９の内側に設けられた落下防止部１１９によって、傘１０４の落下を防いで傘１０４を保持する構成の例である。
【００８０】
また、係る開放部１０９は、保持領域１１８から外に向かって開放の幅が広くなっていく構成として、片手で傘１０４を係る保持部材１９にセットし易くする構成としてもよい。
【００８１】
係る落下防止部１１９は、図１０（ｂ）の構成においては、落下方向に対して逆らう様に斜め上方に向けて設けられた、可撓性のひだ状の部分であり、係る保持領域１１８にて保持された傘１０４は、落下しようとすると、係るひだが傘１０４との摩擦力でめくり上がることによって、係る保持領域１１８を狭くすることによって、挟持力と摩擦力を増大させ、落下を防止する構成となっている。
【００８２】
係る落下防止部１１９は、その他、摩擦力の高い素材や、自己吸着シートや磁石やシリコンゴムや発泡ゴムや、引掛ける構造等でもよく、その構造は、本発明の技術的思想の範囲内で限定しない。但し、柄を下にして傘１０４を保管する場合、落下方向への傘１０４のずれによって、傘１０４は傘１０４の挟持部分が細くなる構造であるので、ただ、密着しているだけでなく、図１０（ｂ）の様に、係る落下防止部１１９がひだ状であることは、上記の様に、より高い落下防止効果を発揮可能となり、有用である。
【００８３】
また、係る係止方法は、着脱可能に係止する構成としても良い。  
【００８４】
尚、上記一連の本図内容において、可撓性シート１０は、可撓性を有するシートであればその素材を特に限定するものではなく、例えば、ポリエステルやナイロンなどの合成樹脂、ビニール、ゴム、ガラス繊維、綿や麻の天然素材でもよく、その色についても透明であっても不透明であっても蛍光色でも特に限定せず、また厚さやサイズについても特に限定するものではない。使用場所や想定される係止、保持、収納物によっては、耐水性や強度に優れた素材が望ましい。
【００８５】
また、カバー材１１１についても同様に素材、色、厚さを限定せず、また、その形態は板状でもよく、本発明の技術的思想の範囲内、即ち、同一の作用効果を発揮できる範囲内で限定しない。
係るポケットはその他形態の容器でもよく、係る収納構造物３０の形態は本発明の技術的思想の範囲内、即ち、同一の作用効果を発揮できる範囲内で限定しない。
【００８６】
また、係るシート設置具２９の形態は、係るシート部材を設置する為の形態であればよく、穴でも、自己吸着シート、紐、吸盤、磁石でもよく、また、係る構成シート全体がマグネットシートや、自己吸着シート、シリコンゴム、粘着部などの、シート自体が係る傘吊設ユニット１を設置する壁等に直接係着可能な素材でも良く、その他その形態は本発明の技術的思想の範囲内、即ち、同一の作用効果を発揮できる範囲内で限定しない。
【００８７】
例えば、この様に係るシート設置具２９が磁石や吸盤、自己吸着シートであることによって、例えば観光バス等の側面にでも、着脱可能に簡易的に設置可能となることによって、乗客の乗り降りの際に係る観光バスの側面に係る傘吊設ユニット１を設置でき、バスの移動時は、係る傘１０４ごと巻いて荷室に収納することが可能となり、有用である。
【００８８】
また、係る保持部材１９は、様々な形態、構造で良く、紐、面ファスナー７０、ボルトナット、磁石、リング、フック、筒状部材、針金、鎖、粘着テープ、ゴム、自己吸着シート、ベルト等、その他その形態を本発明の技術的思想の範囲内、即ち、同一の作用効果を発揮できる範囲内で限定しない。
【００８９】
また、係る保持部材１９の位置が、段違いに設けられた構成とすることによって、吊設された傘１０４ごと、係る傘吊設ユニット１を巻いた際に、互いの柄の部分をずらして巻ける構成としても良
【００９０】
また、それぞれの図における構成は、他の図における構成と合わせて構成することも可能である。
また、それぞれの図において、本発明の構成は、可撓性シート１０の片面だけであるが、両面に設けても良い。
【産業上の利用可能性】
【００９１】
本発明は、壁への穴等、損傷や汚れを抑制し、自由度が高い係止、保持、収納が可能とすることで、雨の日の自由な場所で、スペースを取らない傘立て、保管、自由度の高い傘の保管場所を提供できる魅力的な発明品となり、産業上利用可能性は極めて高いと思慮されるものである。
【符号の説明】
【００９２】
１    傘吊設ユニット
１０  可撓性シート
１１  網部材
１７  係止部
１９  保持部材
２８  連結部材
２９  シート設置具
３８  巻き折り係止構造
７０  ファスナー
７１  スライダー
７７  傘骨
１０３  水受けポケット
１０４  傘
１０５  巻き取り係止部材
１０９  開放部
１１１  カバー材
１１２  傘開口部
１１８  保持領域
１１９  落下防止部
【図１】
2019198516.tif 000003
【図２】
2019198516.tif 000004
【図３】
2019198516.tif 000005
【図４】
2019198516.tif 000006
【図５】
2019198516.tif 000007
【図６】
2019198516.tif 000008
【図７】
2019198516.tif 000009
【図８】
2019198516.tif 000010
【図９】
2019198516.tif 000011
【図１０】
2019198516.tif 000012
【図１１】
2019198516.tif 000013
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
傘を吊り下げて保管する傘吊設ユニット（１）であり、可撓性を有するシート部材または網部材（１１）である可撓性シート（１０）は１以上の保持部材（１９）を設け、前記可撓性シート（１０）は、シート設置具（２９）を備え、壁や吊設可能な支持材に設置可能で、傘を保持可能に、前記保持部材（１９）を備え、
水受けポケット（１０３）が、前記傘吊設ユニット（１）の下側及び左右側に設けられていることを特徴とする傘吊設ユニット（１）。
【請求項２】
ＳＫ１０
前記水受けポケット（１０３）が、前記傘吊設ユニット（１）の上下側及び左右側に設けられていることを特徴とする請求項１に記載の傘吊設ユニット（１）。
【請求項３】
傘を吊り下げて保管する傘吊設ユニット（１）であり、可撓性を有するシート部材または網部材（１１）である可撓性シート（１０）は１以上の保持部材（１９）を設け、前記可撓性シート（１０）は、シート設置具（２９）を備え、壁や吊設可能な支持材に設置可能で、傘を保持可能に、前記保持部材（１９）を備え
巻き折り係止構造（３８）を設けていることを特徴とする傘吊設ユニット（１）。
【請求項４】
傘を吊り下げて保管する傘吊設ユニット（１）であり、可撓性を有する可撓性シート（１０）は網部材（１１）であって、１以上の保持部材（１９）を設け、前記可撓性シート（１０）は、シート設置具（２９）を備え、壁や吊設可能な支持材に設置可能で、傘を保持可能に、前記保持部材（１９）を備えたことを特徴とする傘吊設ユニット（１）。
【請求項５】
傘を吊り下げて保管する傘吊設ユニット（１）であり、可撓性を有するシート部材または網部材（１１）である可撓性シート（１０）は１以上の保持部材（１９）を設け、前記可撓性シート（１０）は、シート設置具（２９）を備え、壁や吊設可能な支持材に設置可能で、傘を保持可能に、前記保持部材（１９）を備え、
前記可撓性シート（１０）がシート部材と網部材（１１）の２重構造であることによって、該網部材（１１）が前記保持部材（１９）であることを特徴とする傘吊設ユニット（１）。
【請求項６】
前記シート部材と網部材（１１）の２重構造が、互いに着脱可能に係止されていることを特徴とする請求項５に記載の傘吊設ユニット（１）。
【請求項７】
傘を吊り下げて保管する傘吊設ユニット（１）であり、可撓性を有するシート部材または網部材（１１）である可撓性シート（１０）は１以上の保持部材（１９）を設け、前記可撓性シート（１０）は、シート設置具（２９）を備え、壁や吊設可能な支持材に設置可能で、傘を保持可能に、前記保持部材（１９）を備え、１つまたはそれ以上のカバー材（１１１）が設けられていることを特徴とする傘吊設ユニット（１）。
【請求項８】
前記カバー材（１１１）が、係る傘（１０４）が畳まれて袋状になった開口部である傘開口部（１１２）を覆うように設けられていることを特徴とする請求項７に記載の傘吊設ユニット（１）。
【請求項９】
ＳＫ1+ＳＫ１４
傘を吊り下げて保管する傘吊設ユニット（１）であり、可撓性を有するシート部材または網部材（１１）である可撓性シート（１０）は１以上の保持部材（１９）を設け、前記可撓性シート（１０）は、シート設置具（２９）を備え、壁や吊設可能な支持材に設置可能で、傘を保持可能に、前記保持部材（１９）を備え、吊設した傘ごとまとめて巻き取り可能で、巻いた状態を保持して係止する巻き取り係止部材（１０５）を設けたことを特徴とする傘吊設ユニット（１）。
【請求項１０】
傘を吊り下げて保管する傘吊設ユニット（１）であり、可撓性を有するシート部材または網部材（１１）である可撓性シート（１０）は１以上の保持部材（１９）を設け、前記可撓性シート（１０）は、シート設置具（２９）を備え、壁や吊設可能な支持材に設置可能で、傘を保持可能に、前記保持部材（１９）を備え、
前記保持部材（１９）が、重りを備えており、吊設された傘の可撓性シート（１０）部材への密着力を増大可能であることを特徴とする傘吊設ユニット（１）。
【請求項１１】
傘を吊り下げて保管する傘吊設ユニット（１）であり、可撓性を有するシート部材または網部材（１１）である可撓性シート（１０）は１以上の保持部材（１９）を設け、前記可撓性シート（１０）は、シート設置具（２９）を備え、壁や吊設可能な支持材に設置可能で、傘を保持可能に、前記保持部材（１９）を備え、
前記保持部材（１９）の位置が、段違いに設けられたことを特徴とする傘吊設ユニット（１）。
【請求項１２】
前記保持部材（１９）は、弾性力を備えた挟持構造による傘の保持領域（１１８）を備え、
前記保持領域（１１８）は、対面する２方向に貫通した構造であり、該貫通した方向と垂直な方向に前記保持領域（１１８）は開放部（１０９）を備えたことを特徴とする請求項１から請求項１１のいずれかに記載の傘吊設ユニット（１）。
【請求項１３】
前記保持部材（１９）の前記貫通した方向と垂直な方向に前記保持領域（１１８）が備えた前記開放部（１０９）が、前記保持領域（１１８）から外に向かって開放の幅が広くなっていく構造であることを特徴とする請求項１２に記載の傘吊設ユニット（１）。
【請求項１４】
前記保持部材（１９）は、前記保持領域（１１８）側の面に設けられた落下防止部（１１９）を備え、前記落下防止部（１１９）が、可撓性のひだ状であることを特徴とする請求項１２から請求項１３のいずれかに記載の傘吊設ユニット（１）。
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
傘を吊り下げて保管する傘吊設ユニット（１）であり、可撓性を有するシート部材または網部材（１１）である可撓性シート（１０）は１以上の保持部材（１９）を設け、前記可撓性シート（１０）は、シート設置具（２９）を備え、壁や吊設可能な支持材に設置可能で、傘を保持可能に、前記保持部材（１９）を備え、
水受けポケット（１０３）が、前記傘吊設ユニット（１）の下側及び左右側に設けられていることを特徴とする傘吊設ユニット（１）。
【請求項２】
前記水受けポケット（１０３）が、前記傘吊設ユニット（１）の上下側及び左右側に設けられていることを特徴とする請求項１に記載の傘吊設ユニット（１）。
【請求項３】
傘を吊り下げて保管する傘吊設ユニット（１）であり、可撓性を有するシート部材または網部材（１１）である可撓性シート（１０）は１以上の保持部材（１９）を設け、前記可撓性シート（１０）は、シート設置具（２９）を備え、壁や吊設可能な支持材に設置可能で、傘を保持可能に、前記保持部材（１９）を備え
巻き折り係止構造（３８）を設けていることを特徴とする傘吊設ユニット（１）。
【請求項４】
傘を吊り下げて保管する傘吊設ユニット（１）であり、可撓性を有する可撓性シート（１０）は網部材（１１）であって、１以上の保持部材（１９）を設け、前記可撓性シート（１０）は、シート設置具（２９）を備え、壁や吊設可能な支持材に設置可能で、傘を保持可能に、前記保持部材（１９）を備えたことを特徴とする傘吊設ユニット（１）。
【請求項５】
傘を吊り下げて保管する傘吊設ユニット（１）であり、可撓性を有するシート部材または網部材（１１）である可撓性シート（１０）は１以上の保持部材（１９）を設け、前記可撓性シート（１０）は、シート設置具（２９）を備え、壁や吊設可能な支持材に設置可能で、傘を保持可能に、前記保持部材（１９）を備え、
前記可撓性シート（１０）がシート部材と網部材（１１）の２重構造であることによって、該網部材（１１）が前記保持部材（１９）であることを特徴とする傘吊設ユニット（１）。
【請求項６】
前記シート部材と網部材（１１）の２重構造が、互いに着脱可能に係止されていることを特徴とする請求項５に記載の傘吊設ユニット（１）。
【請求項７】
傘を吊り下げて保管する傘吊設ユニット（１）であり、可撓性を有するシート部材または網部材（１１）である可撓性シート（１０）は１以上の保持部材（１９）を設け、前記可撓性シート（１０）は、シート設置具（２９）を備え、壁や吊設可能な支持材に設置可能で、傘を保持可能に、前記保持部材（１９）を備え、１つまたはそれ以上のカバー材（１１１）が設けられていることを特徴とする傘吊設ユニット（１）。
【請求項８】
前記カバー材（１１１）が、係る傘（１０４）が畳まれて袋状になった開口部である傘開口部（１１２）を覆うように設けられていることを特徴とする請求項７に記載の傘吊設ユニット（１）。
【請求項９】
傘を吊り下げて保管する傘吊設ユニット（１）であり、可撓性を有するシート部材または網部材（１１）である可撓性シート（１０）は１以上の保持部材（１９）を設け、前記可撓性シート（１０）は、シート設置具（２９）を備え、壁や吊設可能な支持材に設置可能で、傘を保持可能に、前記保持部材（１９）を備え、吊設した傘ごとまとめて巻き取り可能で、巻いた状態を保持して係止する巻き取り係止部材（１０５）を設けたことを特徴とする傘吊設ユニット（１）。
【請求項１０】
傘を吊り下げて保管する傘吊設ユニット（１）であり、可撓性を有するシート部材または網部材（１１）である可撓性シート（１０）は１以上の保持部材（１９）を設け、前記可撓性シート（１０）は、シート設置具（２９）を備え、壁や吊設可能な支持材に設置可能で、傘を保持可能に、前記保持部材（１９）を備え、
前記保持部材（１９）が、重りを備えており、吊設された傘の可撓性シート（１０）部材への密着力を増大可能であることを特徴とする傘吊設ユニット（１）。
【請求項１１】
傘を吊り下げて保管する傘吊設ユニット（１）であり、可撓性を有するシート部材または網部材（１１）である可撓性シート（１０）は１以上の保持部材（１９）を設け、前記可撓性シート（１０）は、シート設置具（２９）を備え、壁や吊設可能な支持材に設置可能で、傘を保持可能に、前記保持部材（１９）を備え、
前記保持部材（１９）の位置が、段違いに設けられたことを特徴とする傘吊設ユニット（１）。
【請求項１２】
前記保持部材（１９）は、弾性力を備えた挟持構造による傘の保持領域（１１８）を備え、
前記保持領域（１１８）は、対面する２方向に貫通した構造であり、該貫通した方向と垂直な方向に前記保持領域（１１８）は開放部（１０９）を備えたことを特徴とする請求項１から請求項１１のいずれかに記載の傘吊設ユニット（１）。
【請求項１３】
前記保持部材（１９）の前記貫通した方向と垂直な方向に前記保持領域（１１８）が備えた前記開放部（１０９）が、前記保持領域（１１８）から外に向かって開放の幅が広くなっていく構造であることを特徴とする請求項１２に記載の傘吊設ユニット（１）。
【請求項１４】
前記保持部材（１９）は、前記保持領域（１１８）側の面に設けられた落下防止部（１１９）を備え、前記落下防止部（１１９）が、可撓性のひだ状であることを特徴とする請求項１２から請求項１３のいずれかに記載の傘吊設ユニット（１）。